(57)【要約】【課題】２つの対物レンズを有して対物レンズを切り替えて使用する光ディスク装置において、対物レンズを切り替える方式を採用したことに起因する再生や記録性能の悪化が少ない光ディスク装置を提供する。【解決手段】光ピックアップ４を移動可能に保持する２本のガイドレール４２ａ、４２ｂを挟むようにガイド部材４３、４４が設けられている。光ピックアップ４が光ディスク１６の外周側又は内周側に移動すると、光ピックアップ４はガイド部材４３、４４からの押圧力によりタンジェンシャル方向に移動し、対物レンズ３０、３１の位置を切り替える。光ピックアップ４の側面部４ｂにはストッパー手段４５が設けられており、ストッパー手段４５は光ピックアップ４の移動防止方向を選択的に切り替えられるように設けられている。【選択図】図３
2008090959.tif 000002
【特許請求の範囲】
【請求項１】
ベースと、
光源から出射された光ビームを光記録媒体の記録面に集光する２つの対物レンズを有する光ピックアップと、
前記対物レンズを挟むように前記ベース上に平行に２本固設され、前記光ピックアップを前記光記録媒体の半径方向に移動可能に支持する棒状部材と、
を備え、前記光記録媒体の種類によって前記２つの対物レンズを切り替えて使用する光ディスク装置において、
前記２つの対物レンズは、前記棒状部材と直交する方向に並設され、
前記光ピックアップを前記棒状部材と直交する方向に移動して前記対物レンズの位置を切り替える切替機構が設けられ、
前記切替機構は、
平行に２本配置される前記棒状部材を異なる位置から挟むように前記ベース上に固設される２つのガイド部材と、
前記光ピックアップに取付けられ、前記棒状部材と当接する当接部が第１の位置と第２の位置とに配置可能に設けられることにより前記光ピックアップの移動防止方向を選択的に切り替えるストッパー手段と、
から成り、
前記ガイド部材は、前記光ピックアップとの接触により前記光ピックアップを押圧して前記光ピックアップを前記棒状部材と直交する方向に移動し、
前記当接部は、前記光ピックアップが前記ガイド部材によって押圧されることによりその配置を切り替えることを特徴とする光ディスク装置。
【請求項２】
ベースと、
光源から出射された光ビームを光記録媒体の記録面に集光する２つの対物レンズを有する光ピックアップと、
前記対物レンズを挟むように前記ベース上に平行に２本固設され、前記光ピックアップを前記光記録媒体の半径方向に移動可能に支持する棒状部材と、
を備え、前記光記録媒体の種類によって前記２つの対物レンズを切り替えて使用する光ディスク装置において、
前記光ピックアップを前記棒状部材と直交する方向に移動して前記対物レンズの位置を切り替える切替機構を設けたことを特徴とする光ディスク装置。
【請求項３】
前記２つの対物レンズは、前記棒状部材と直交する方向に並設されることを特徴とする請求項２に記載の光ディスク装置。
【請求項４】
前記切替機構は、
平行に２本配置される前記棒状部材を異なる位置から挟むように前記ベース上に固設される２つのガイド部材と、
前記光ピックアップに取付けられ、前記棒状部材と当接する当接部が第１の位置と第２の位置とに配置可能に設けられることにより、前記光ピックアップの移動防止方向を選択的に切り替えるストッパー手段と、
から成り、
前記ガイド部材は、前記光ピックアップとの接触により前記光ピックアップを前記棒状部材と直交する方向に押圧し、
前記当接部は、前記光ピックアップが前記ガイド部材によって押圧されることによりその配置を切り替えることを特徴とする請求項２又は３に記載の光ディスク装置。
【発明の詳細な説明】
【技術分野】
【０００１】
本発明は、光記録媒体の記録や再生を行う光ディスク装置に関し、特に、光源から出射される光ビームを光記録媒体の記録面に集光する対物レンズを２つ有し、記録や再生の対象となる光記録媒体の種類によって対物レンズを切り替えて使用する光ディスク装置に関する。
【背景技術】
【０００２】
コンパクトディスク（以下、ＣＤという。）やデジタル多用途ディスク（以下、ＤＶＤという。）といった光記録媒体が普及している。更に、近年、光記録媒体の情報量を増やすために、光記録媒体の高密度化に関する研究が進められ、例えば、高品位のＤＶＤであるＨＤ−ＤＶＤやブルーレイディスク（以下、ＢＤという。）といった高密度化された光記録媒体も実用化されてきている。
【０００３】
このような光記録媒体の記録再生を行う光ディスク装置には、光記録媒体に光ビームを照射して情報の記録や情報の読み取りを可能とする光ピックアップが備えられるが、光記録媒体の種類によって、光ピックアップに用いられる対物レンズの開口数（ＮＡ）や光源の波長を異ならせる必要がある。例えば、ＣＤに対しては、対物レンズのＮＡが０．４５、光源の波長が７８０ｎｍ、ＤＶＤに対しては、対物レンズのＮＡが０．６０、光源の波長が６５０ｎｍ、ＢＤに対しては、対物レンズのＮＡが０．８５、光源の波長が４０５ｎｍ、が用いられる。
【０００４】
このように、光記録媒体の種類によって、使用する対物レンズのＮＡや光源の波長が異なるために、光記録媒体毎に異なる光ピックアップを用いることも考えられるが、１つの光ピックアップで複数種類の光記録媒体について情報の読み取り等が行える方が便利であり、そのような光ピックアップが多く開発されている。そして、最近では、例えば、ＣＤ、ＤＶＤ、ＢＤの３種類の光記録媒体について、１つの対物レンズで対応できる光ピックアップ装置も多く提案されている。
【０００５】
しかし、複数種類の光記録媒体に対応する光ピックアップに用いられる対物レンズを１つとする構成の場合、一般的に、対物レンズの設計が難しくなり高価となる。このため、例えば、ＢＤ／ＤＶＤ／ＣＤ互換タイプの光ピックアップにおいて、対物レンズをＢＤ用とＤＶＤ／ＣＤ用との２つとし、記録再生の対象となる光記録媒体の種類に応じて、これら２つの対物レンズを切り替えて使用する方式が従来提案されている。
【０００６】
そして、この場合の対物レンズの切り替え方式としては、軸摺動型のアクチュエータを用い、電磁気的作用により対物レンズを搭載するレンズホルダを回転させることによって光路中に配置される対物レンズを切り替える構成や、光学系の構成により記録再生の対象となる光記録媒体に合わせて選択的に対物レンズを使用する構成等がある。
【０００７】
また、特許文献１には、開口数の異なる２個の対物レンズと該２個の対物レンズを光ディスク（光記録媒体）の回転方向に並ぶように支持するレンズホルダとを有するレンズアクチュエータを、光ディスクの回転方向に移動するレンズ切替機構を備えることにより、対物レンズの切り替えを可能とする光ディスク装置が提案されている。
【０００８】
また、特許文献２には、光ピックアップの摺動ブロックの上面に、ＤＶＤ用の対物レンズとＣＤ用の対物レンズとが並設された収容ブロック（その内部にレンズアクチュエータが設けられる）と、該収容ブロックをガイドレール（光ピックアップを摺動可能に支持するもの）の軸線と直交する方向にスライド可能とするスライドプレートと、を設け、スライドプレートのスライドの移動により対物レンズを切り替える方式の光学式情報記録または再生装置（光ディスク装置）が提案されている。
【特許文献１】特開２００４−３２６８８７号公報
【特許文献２】特開平８−３１５４０９号公報
【発明の開示】
【発明が解決しようとする課題】
【０００９】
しかしながら、軸摺動型のアクチュエータを用いて対物レンズを切り替える構成の場合、対物レンズを保持するレンズホルダ部品の成形管理等が難しく、量産時にばらつき等が発生するという不具合があった。
【００１０】
また、特許文献１や特許文献２に示される構成は、レンズアクチュエータ自体を移動して対物レンズの切り替えを行う構成であり、この場合、レンズアクチュエータが光ピックアップのベースに対してしっかりと固定されない構成となるため、対物レンズのフォーカス調整やトラッキング調整を行う際に使用する高周波によって振動が発生し易く、この振動によって光ピックアップ全体が共振してサーボ調整が適切に行えないといった問題が生じる。
【００１１】
更に、光学系の構成によって対物レンズを選択的に使用する構成の場合には、上述のような問題は生じないが、対物レンズごとに光記録媒体の記録面に集光する位置が異なる位置となるために、以下に示すような問題が生じる。なお、図８は従来の構成の問題点を説明するための模式図で、以下図８を参照しながら問題点を説明する。
【００１２】
一方の対物レンズ１００について、その移動方向（光ピックアップの移動方向及びトラッキング調整時の対物レンズの移動方向が該当）とその対物レンズ位置における光記録媒体２００の移動方向とが垂直となるように構成した場合、他方の対物レンズ１０１の移動方向（光ピックアップの移動方向及びトラッキング調整時の対物レンズの移動方向が該当）とその対物レンズ位置における光記録媒体２００の移動方向とがなす角は、９０°からずれた角となる。そして、この場合、対物レンズ１００の移動方向とその対物レンズ位置における光記録媒体２００の移動方向がなす角は光記録媒体２００のいずれの位置においても９０°となるが、対物レンズ１０１の移動方向とその対物レンズ位置における光記録媒体２００の移動方向とがなす角は、光記録媒体２００の位置によって異なるものとなり、特に光記録媒体の内周側と外周側では大きく異なる（図８においては、内周側をα、外周側をβとして示しており、α＜βの関係となっている）。このため、対物レンズ１０１を使用する場合、光記録媒体２００の内周側から外周側に対物レンズ１０１が移動するにつれてトラッキングエラー信号の出力のされ方が異なるものとなり、トラッキング調整が適切に行えず、光記録媒体２００の再生等の品質が劣化するといった問題が生じる。
【００１３】
以上の問題点を鑑みて、本発明の目的は、２つの対物レンズを有して対物レンズを切り替えて使用する光ディスク装置において、対物レンズを切り替える方式を採用したことに起因する再生や記録性能の悪化が少ない光ディスク装置を提供することである。
【課題を解決するための手段】
【００１４】
上記目的を達成するために本発明は、ベースと、光源から出射された光ビームを光記録媒体の記録面に集光する２つの対物レンズを有する光ピックアップと、前記対物レンズを挟むように前記ベース上に平行に２本固設され、前記光ピックアップを前記光記録媒体の半径方向に移動可能に支持する棒状部材と、を備え、前記光記録媒体の種類によって前記２つの対物レンズを切り替えて使用する光ディスク装置において、前記２つの対物レンズは、前記棒状部材と直交する方向に並設され、前記光ピックアップを前記棒状部材と直交する方向に移動して前記対物レンズの位置を切り替える切替機構が設けられ、前記切替機構は、平行に２本配置される前記棒状部材を異なる位置から挟むように前記ベース上に固設される２つのガイド部材と、前記光ピックアップに取付けられ、前記棒状部材と当接する当接部が第１の位置と第２の位置とに配置可能に設けられることにより前記光ピックアップの移動防止方向を選択的に切り替えるストッパー手段と、から成り、前記ガイド部材は、前記光ピックアップとの接触により前記光ピックアップを押圧して前記光ピックアップを前記棒状部材と直交する方向に移動し、前記当接部は、前記光ピックアップが前記ガイド部材によって押圧されることによりその配置を切り替えることを特徴としている。
【００１５】
また、上記目的を達成するために本発明は、ベースと、光源から出射された光ビームを光記録媒体の記録面に集光する２つの対物レンズを有する光ピックアップと、前記対物レンズを挟むように前記ベース上に平行に２本固設され、前記光ピックアップを前記光記録媒体の半径方向に移動可能に支持する棒状部材と、を備え、前記光記録媒体の種類によって前記２つの対物レンズを切り替えて使用する光ディスク装置において、前記光ピックアップを前記棒状部材と直交する方向に移動して前記対物レンズの位置を切り替える切替機構を設けたことを特徴としている。
【００１６】
また、本発明は、上記構成の光ディスク装置において、前記２つの対物レンズは、前記棒状部材と直交する方向に並設されることを特徴としている。
【００１７】
また、本発明は、上記構成の光ディスク装置において、前記切替機構は、平行に２本配置される前記棒状部材を異なる位置から挟むように前記ベース上に固設される２つのガイド部材と、前記光ピックアップに取付けられ、前記棒状部材と当接する当接部が第１の位置と第２の位置とに配置可能に設けられることにより、前記光ピックアップの移動防止方向を選択的に切り替えるストッパー手段と、から成り、前記ガイド部材は、前記光ピックアップとの接触により前記光ピックアップを前記棒状部材と直交する方向に押圧し、前記当接部は、前記光ピックアップが前記ガイド部材によって押圧されることによりその配置を切り替えることを特徴としている。
【発明の効果】
【００１８】
本発明の第１の構成によれば、切替機構によって光ピックアップ全体を棒状部材と直交する方向に移動できるために、使用する対物レンズが異なるために集光位置が異なるということ回避できる。このため、従来生じたようなトラッキング調整の不具合を解消でき、対物レンズの切り替えによる再生や記録の性能の悪化を抑制できる。また、対物レンズを保持するレンズアクチュエータを光ピックアップにしっかり固定した構成とできるために、従来の構成のようにレンズアクチュエータに振動に起因して光ピックアップが共振し、サーボ調整に悪影響を起こすという可能性が低くなる。更に、モータ等の電気的な部材を使用せずに光ピックアップを棒状部材と直交する方向に移動する構成であるために、安価な光ディスク装置の提供が可能となる。
【００１９】
また、本発明の第２の構成によれば、切替機構によって光ピックアップ全体を棒状部材と直交する方向に移動できるために、使用する対物レンズが異なるために集光位置が異なるということ回避できる。このため、従来生じたようなトラッキング調整の不具合を解消でき、対物レンズの切り替えによる再生や記録の性能の悪化を抑制できる。また、対物レンズを保持するレンズアクチュエータを光ピックアップにしっかり固定した構成とできるために、従来の構成のようにレンズアクチュエータに振動に起因して光ピックアップが共振し、サーボ調整に悪影響を起こすという可能性が低くなる。
【００２０】
また、本発明の第３の構成によれば、上記第２の構成の光ディスク装置において、２つの対物レンズが棒状部材と直交する方向に並設されるために、光ピックアップの光学系をコンパクトとし易く、光ディスク装置の小型化が図れる。
【００２１】
また、本発明の第４の構成によれば、上記第２又は第３の構成の光ディスク装置において、モータ等の電気的な部材を使用せずに光ピックアップを棒状部材と直交する方向に移動する構成であるために、安価な光ディスク装置の提供が可能となる。
【発明を実施するための最良の形態】
【００２２】
以下に本発明の実施形態を、図面を参照しながら説明する。なお、ここで示す実施形態は一例であり、本発明はここに示す実施形態に限定されるものではない。
【００２３】
図１は、本実施形態の光ディスク装置１の構成を示すブロック図で、光ディスク装置１は、光ディスク（光記録媒体）１６の情報の再生、及び光ディスク１６への情報の記録を可能に設けられている。なお、本実施形態においては、光ディスク装置１はＢＤ／ＤＶＤ／ＣＤを互換可能に設けられている。
【００２４】
２は、スピンドルモータであり、光ディスク１６はスピンドルモータ２の上部に設けられるチャック部（図示せず）に着脱可能に保持される。そして、光ディスク１６の情報の記録再生を行う際に、スピンドルモータ２は光ディスク１６を連続回転する。スピンドルモータ２の回転制御は、スピンドルモータ制御部３によって行われる。
【００２５】
４は、光ピックアップであり、光源から出射されるレーザ光を光ディスク１６に照射し、光ディスク１６への情報の書き込みと、光ディスク１６に記録されている情報の読み取りを可能とする。図２は、光ピックアップ４の光学系の構成を示す概略図であり、図２（ａ）は光ピックアップ４の概略側面図で、図２（ｂ）は光ピックアップ４の概略平面図である。
【００２６】
図２に示すように、光ピックアップ４は、光ピックアップベース２０上に配置される第１光源２１と、第２光源２２と、ダイクロプリズム２３と、コリメートレンズ２４と、ビームスプリッタ２５と、第１立ち上げミラー２６と、第２立ち上げミラー２７と、集光レンズ２８と、光検出器２９と、図示しないレンズアクチュエータのレンズホルダに保持される第１対物レンズ３０と、第２対物レンズ３１と、を備える。
【００２７】
第１光源２１はレーザダイオード（ＬＤ）であって、ＢＤに対応する波長４０５ｎｍ帯のレーザ光を出射する。一方、第２光源２２は、２波長対応のレーザダイオードであって、ＤＶＤに対応する６５０ｎｍ帯のレーザ光とＣＤに対応する７８０ｎｍ帯のレーザ光を出射する。第１光源２１と第２光源２２との切り替えやレーザパワーの調整等は、光源制御部５によって行われる。
【００２８】
なお、本実施形態においては、ＤＶＤ及びＣＤに対応するレーザ光を２波長対応のレーザダイオードから出射する構成としたが、これに限定されず、ＤＶＤ及びＣＤに対応するレーザ光を出射するレーザダイオードを別々に備える構成としても、もちろん構わない。
【００２９】
光ピックアップ４において、第１光源２１から出射されたレーザ光（ＢＤ用のレーザ光）は、ダイクロプロズム２３を透過して、コリメートレンズ２４で平行光となり、ビームスプリッタ２５を透過し、ダイクロイックミラーとして機能する第１立ち上げミラー２６を透過し、第２立ち上げミラー２７で光ディスク１６の記録面（図示せず）と略直交する方向に反射され、第２対物レンズ３１によって光ディスク１６の記録面に集光する。光ディスク１６の記録面で反射された反射光は、第２対物レンズ３１を透過し、第２立ち上げミラー２７で反射され、第１立ち上げミラー２６を透過し、ビームスプリッタ２５で反射され、集光レンズ２８によって光検出器２９の受光領域（図示せず）に集光する。
【００３０】
一方、第２光源２２から出射されたレーザ光（ＤＶＤ及びＣＤ用のレーザ光）は、ダイクロプロズム２３で反射され、コリメートレンズ２４で平行光となり、ビームスプリッタ２５を透過し、ダイクロイックミラーとして機能する第１立ち上げミラー２６で反射されて光ディスク１６の記録面と略直交する方向に反射され、第１対物レンズ３０によって光ディスク１６の記録面に集光する。光ディスク１６の記録面で反射された反射光は、第１対物レンズ３０を透過し、第１立ち上げミラー２６で反射され、ビームスプリッタ２５で更に反射され、集光レンズ２８によって光検出器２９の受光領域（図示せず）に集光する。
【００３１】
なお、光検出器２９は受光した光ビームが有する光情報を電気信号に変換する。また、第１対物レンズ３０は、ＤＶＤ及びＣＤの記録再生を行う時に使用されるように設計されており、第２対物レンズ３１は、ＢＤの記録再生を行う時に使用されるように設計されている。
【００３２】
図１に戻って、スライドモータ制御部６は、光ピックアップ４がラジアル方向に移動可能となるように設けられるスライドモータ（図示せず）と電気的に接続されており、これにより光ピックアップ４のラジアル方向（半径方向）の移動を制御する。
【００３３】
ＲＦ信号処理部７は、光ピックアップ４の光検出器２９で得られるＲＦ信号を処理し、処理した信号を復調部８に供給する。
【００３４】
復調部８は、データの復調を行うとともに、データのエラーを検出し、エラーが検出された場合において訂正可能であればデータの訂正処理を行い、再生データをインターフェース部９に供給する。なお、訂正処理が不可能な再生エラーが発生した場合には周知の方法でデータの再読み取り（リトライ）が実行される。
【００３５】
インターフェース部９は、復調部８から供給された再生データを図示しないパソコン等の外部機器に出力する。
【００３６】
フォーカスエラー信号処理部１０は、光ピックアップ４の光検出器２９で検出される信号を用いてフォーカスエラー信号を生成する。フォーカスエラー信号の生成は、非点収差法やスポットサイズ法等を用いた周知の方法で行われるために、ここではその詳細な説明は省略する。フォーカスエラー信号処理部１０で生成されたフォーカスエラー信号は、アクチュエータ制御部１２に供給される。
【００３７】
トラッキングエラー信号処理部１１は、光ピックアップ４の光検出器２９で検出される信号を用いてトラッキングエラー信号を生成する。トラッキングエラー信号の生成は、プッシュプル法、位相差法、コレクトファーフィールド法等を用いて周知の方法で行われるために、ここではその詳細な説明は省略する。トラッキングエラー信号処理部１１で生成されたトラッキングエラー信号は、アクチュエータ制御部１２に供給される。
【００３８】
アクチュエータ制御部１２は、フォーカスエラー信号処理部１０及びトラッキングエラー信号処理部１１から送られてきた信号に基づいて、対物レンズ３０、３１をレンズホルダに搭載して移動可能とするレンズアクチュエータ（図示せず）に駆動信号を供給する。駆動信号が供給されたレンズアクチュエータは、信号に基づいて各部を作動させて、対物レンズ３０、３１をその光軸方向と平行なフォーカス方向に移動してフォーカスを合わせるフォーカス制御や、対物レンズ３０、３１を光ディスク１６のラジアル方向に移動してレーザ光のスポット位置を光ディスク１６に形成されるトラック位置に合わせるトラッキング制御を行う。
【００３９】
なお、レンズアクチュエータは、電磁気的作用により対物レンズ３０、３１を搭載するレンズホルダを駆動する構成で、いわゆる軸摺動型又はワイヤ支持方式といった周知のレンズアクチュエータと同様の構成であるために、ここではその詳細な説明は省略する。
【００４０】
その他、全体制御部１５は、スピンドルモータ制御部３、光源制御部５、スライドモータ制御部６、ＲＦ信号処理部７、復調部８、インターフェース部９、フォーカスエラー信号処理部１０、トラッキングエラー信号処理部１１、アクチュエータ制御部１２、及び制御に必要な情報を記憶する記憶部１４等を制御して、装置全体のコントロールを行う。
【００４１】
光ディスク装置１の全体構成の概要は以上のようであるが、本実施形態においては、光ピックアップ４をラジアル方向（図１参照）と直交するタンジェンシャル方向に移動することが可能となっている。そして、これにより、第１対物レンズ３０と第２対物レンズ３１とのうちのいずれを使用する場合にも、対物レンズ３０、３１の移動方向（この移動は、光ピックアップ４自体の移動と、レンズアクチュエータによるトラッキング調整時の移動によるものとの両方を意味する。）と、その対物レンズ位置における光ディスク１６の移動方向と、を直交する状態にでき、光ディスク１６のトラック位置によってトラックエラー信号の出力が異なるという不具合の発生を回避できる。以下、この点の詳細について説明する。
【００４２】
図３は、光ピックアップ４及びその周辺を上から見た概略平面図である。なお、図３は、第２対物レンズ３１が使用位置にある状態（ＢＤを記録再生する場合の状態）を示している。なお、使用位置とは、光ピックアップ４がラジアル方向に移動した場合に、その位置にある対物レンズの移動方向（この移動は、光ピックアップ４自体の移動と、レンズアクチュエータによるトラッキング調整時の移動によるものとの両方を意味する。）と、その対物レンズ位置における光ディスクの移動方向とが直交する状態にある位置を指している（以下、使用位置は、これと同じ意味で使用する）。
【００４３】
図３に示すように、ベース４０には、ターンテーブル４１と接続されて光ディスク１６を回転可能とするスピンドルモータ２と、ベース４０上に平行となるように固設され、光ピックアップ４を移動可能に支持する２本のガイドレール４２ａ、４２ｂと、が設けられている。ガイドレール４２ａ、４２ｂは、ラジアル方向（光ディスク１６の半径方向）と平行に配置されているために、光ピックアップ４はガイドレール４２ａ、４２ｂに沿って、ラジアル方向に移動可能となっている。
【００４４】
なお、光ピックアップ４の側面部４ｃには図示しないラックが設けられており、このラックは図示しないスライドモータの出力軸に取付けられるピニオン（図示せず）と嵌合する。このため、スライドモータの制御により光ピックアップ４はラジアル方向に移動できる。
【００４５】
また、ベース４０上には、２本のガイドレール４２ａ、４２ｂを挟むように、ガイド部材４３、４４が固設されている。ガイド部材４３は、光ディスク１６の外周側に配置され、ガイド部材４４は、光ディスク１６の内周側に配置されている。ガイド部材４３、４４はいずれも三角柱状に形成されており、その斜面部分４３ａ、４４ａはそれぞれ、光ピックアップ４の側面部４ａ、側面部４ｂと対向している。
【００４６】
光ピックアップ４の側面部４ｂのガイドレール４２ａ側には、光ピックアップ４のタンジェンシャル方向（ガイドレール４２ａ、４２ｂと直交する方向）の移動を規制するストッパー手段４５が設けられている。図４は、図３に示す光ピックアップ４を側面部４ｂ側から見た概略平面図である。図４に示すように、ストッパー手段４５は、断面Ｖ字状に設けられ、一方の面をガイドレール４２ａに当接する板バネ（当接部）４６と、板バネ４６に設けられる図示しない空洞部を貫通し、板バネを回動可能に支持する棒状の支柱４７と、円柱状の突起部４８と、から成っている。なお、支柱４７及び突起部４８はいすれも光ピックアップ４の側面部４ｂに固設されている。
【００４７】
図４においては、ストッパー手段４５は、光ピックアップ４が右方向に移動しないように規制している。すなわち、光ピックアップ４が右方向に移動しようとした場合、板バネ４６はガイドレール４２ａによって押されて左方向に回転しようとするが、突起部４８によってこの回転が規制される。このため、通常は光ピックアップ４のタンジェンシャル方向（図３参照）の移動は規制される。ただし、板バネ４６を押すガイドレール４２ａからの力が一定の力を超えると板バネ４６の先端部４６ａ側の変形により、板バネ４６が突起部４８を超えてもう一方の位置に移動できるようになっている。
【００４８】
以上のような構成によりＢＤを記録再生する場合とＤＶＤ／ＣＤを再生する場合の対物レンズ３０、３１の使用位置の切り替えが行われる動作について説明する。ここでは、第２対物レンズ３１が使用位置にある状態（例えば図３の状態で、ＢＤを記録再生する状態）から第１対物レンズ３０を使用位置へと移動する場合を例に説明する。なお、説明にあたっては図３〜図６を用いて説明する。図５は光ピックアップがタンジェンシャル方向に移動する様子を説明するための図で、図６は、ストッパー手段を構成する板バネが第１の位置から第２の位置へと移動した状態を示す図である。
【００４９】
第１対物レンズ３１を使用位置に移動する（ＤＶＤ又はＣＤを記録再生する状態とする）場合、全体制御部１５（図１参照）からスライドモータ制御部６（図１参照）に命令が出され、光ピックアップ４が光ディスク１６の外周側（図３の右方向）へと移動を開始する。光ピックアップ４が外周側に移動すると、ある地点で、光ピックアップ４とガイド部材４３とが接触する。
【００５０】
この状態から光ピックアップ４を更に外周側に移動すると、ガイド部材４３の光ピックアップ４と接触する面４３ａが斜面となっているために、光ピックアップ４に図５に示す破線矢印方向の押圧力が加わり、光ピックアップ４はタンジェンシャル方向（図５の下側）に移動する。これにより、第１対物レンズ３０が使用位置に配置される。
【００５１】
この場合、光ピックアップ４が図４の右側方向に移動するために、板バネ４６にガイドレール４２ａから左方向の強い力が加わり、板バネ４６の先端部４６ａが大きく変形する。そのため、板バネ４６は突起部４８を乗り超えて左方向に回転し、図６に破線で示す第１の位置から第２の位置に移動する。この第２の位置においては、板ばね４６は第１の位置の場合と異なる面でガイドレール４２ａに当接する。そして、第２の位置に板バネ４６が配置されると、図６の左方向に光ピックアップ４が移動しようとし、ガイドレール４２ａから板バネ４６に力が加わっても、その力が一定の力以上でない場合には、板バネ４６の右方向の回転が突起部４８によって規制される。このため、光ピックアップ４の左方向への移動がストッパー手段４５によって規制されることとなる。
【００５２】
なお、第１対物レンズ３０が使用位置にある状態から第２対物レンズ３１が使用位置にある状態へと切り替える場合には、光ピックアップ４を内周側に移動すれば、上述の場合と同様に切り替えを行うことが可能となる。
【００５３】
以上に示した本実施形態においては、ガイド部材４３、４４を光ディスク１６の外周側と内周側とに配置する構成としているが、これに限定される趣旨ではなく、例えば、ガイド部材４３、４４をいずれも外周側又は内周側に配置する構成としても構わない。ただし、ガイド部材４３とガイド部材４４は、線対称の位置からずれた位置に配置する必要がある。
【００５４】
また、本実施形態においては、光ピックアップ４のタンジェンシャル方向への移動をガイド部材４３、４４を用いて行う構成としているが、この構成に限定される趣旨ではなく、本発明の目的を逸脱しない範囲で種々の変更が可能である。例えば、図７に示されるように、光ピックアップ４の側面部４ａにラック５０を設け、光ピックアップ４が光ディスク１６の外周側（図７の右側）に移動したときに、ベース４０に設けられるステッピングモータ５１の出力軸５１ａに取付けられたピニオン５２と嵌合するように構成し、ステッピングモータ５１の回転制御により光ピックアップ４をタンジェンシャル方向に移動する構成等としても構わない。また、ソレノイドをガイドレール４２ａ、４２ｂを挟むように設けて、ソレノイドを用いて光ピックアップ４をタンジェンシャル方向に移動する構成等としても構わない。
【００５５】
また、光ピックアップ４のタンジェンシャル方向の移動を規制するストッパー手段４５の構成についても本実施形態の構成に限定される趣旨ではなく、本発明の目的を逸脱しない範囲で種々の変更を行っても構わない。例えば、本実施形態における突起部４８を弾性部材で構成しても構わないし、板バネ４６のＶ字の形成する２つの面の上端側を折り曲げて、板バネ４６の強度をアップする構成等としても構わない。
【００５６】
更に、本実施形態においては、光ピックアップ４の光学系について、ＢＤの場合とＤＶＤ／ＣＤの場合とで一部共通の光路を使用する構成としているが、ＢＤの光学系とＤＶＤ／ＣＤの光学系とで共通する光路を設けず、異なる光学系を２つ配置する構成等としても構わない。この場合、本実施形態のように第１対物レンズ３０と第２対物レンズ３１とをタンジェンシャル方向に並設せず、タンジェンシャル方向とラジアル方向との両方向にずれた位置に配置することも可能である。
【００５７】
その他、本実施形態では、光ディスク装置１が対象とする光ディスク１６をＢＤ／ＤＶＤ／ＣＤとしているが、これに限定されず、他の光ディスクを対象とする光ディスク装置にも本発明が適用できるのは言うまでもない。
【産業上の利用可能性】
【００５８】
本発明の光ディスク装置は、２つの対物レンズを切り替えて使用する構成を採用しているが、対物レンズを切り替えて用いる構成に起因する再生性能の悪化が少ない。このため、２つの対物レンズを切り替えて使用する光ディスク装置として有用である。
【図面の簡単な説明】
【００５９】
【図１】は、本実施形態の光ディスク装置の構成を示すブロック図である。
【図２】は、本実施形態の光ピックアップの光学系の構成を示す概略図である。
【図３】は、光ピックアップ及びその周辺を上から見た概略平面図である。
【図４】は、図３に示す光ピックアップを側面側から見た場合の概略平面図である。
【図５】は、光ピックアップがタンジェンシャル方向に移動する様子を説明するための説明図である。
【図６】は、ストッパー手段を構成する板バネが第１の位置から第２の位置へと移動した状態を示す図である。
【図７】は、本発明の光ディスク装置の変形例を示す図である。
【図８】は、従来の構成の問題点を説明するための模式図である。
【符号の説明】
【００６０】
１                光ディスク装置
４                光ピックアップ
１６              光ディスク（光記録媒体）
２１              第１光源
２２              第２光源
３０              第１対物レンズ
３１              第２対物レンズ
４０              ベース
４２ａ、４２ｂ    ガイドレール（棒状部材）
４３、４４        ガイド部材
４５              ストッパー手段
４６              板バネ（当接部）
【図１】
2008090959.tif 000003
【図２】
2008090959.tif 000004
【図３】
2008090959.tif 000005
【図４】
2008090959.tif 000006
【図５】
2008090959.tif 000007
【図６】
2008090959.tif 000008
【図７】
2008090959.tif 000009
【図８】
2008090959.tif 000010